(57)【要約】【課題】  軽量で、バランス性と構造の強度に優れ、振動吸収性に優れ、重心を調整可能な野球バットを提供することにある。【解決手段】  野球バット１０は、パイプ状芯柱１１と、被覆体１２と、前端充塞部１４と、後端充塞部１６及び二つのバランスウェイト１８から構成される。芯柱１１は、第一段１１２と、第二段１１４及び第一段１１２と第二段１１４の間に介する中央段１１６とを有する。第二段１１４はその外径が第一段１１２より大きい。被覆体１２はハンドル部１２２と打撃部１２４を有し、ハンドル部１２２により第一段１１２と中央段１１６を同時に被覆し、打撃部１２４により第二段１１４を被覆する。バランスウェイト１８は、芯柱１１の第一段１１２中に嵌合され、かつ野球バットの重心位置を調整可能とする。さらに、バランスウェイト１８はボールを打撃した時に発生する振動を吸収するために、振動吸収材料により構成することも可能である。【選択図】    図１
2005270204.tif 000002
【特許請求の範囲】
【請求項１】
第一段と第二段とを有し、第一段と第二段とによりそれぞれバットのハンドル部および打撃部を支持し、第二段の外径が第一段より大きい硬質パイプ状芯柱と、
ハンドル部と打撃部とを有し、ハンドル部および打撃部によりそれぞれ芯柱の第一段と第二段とを被覆する半硬質被覆体と、
を備えることを特徴とする野球バット。
【請求項２】
芯柱は、複合材料、金属またはプラスチックのいずれか一つとから構成されることを特徴とする請求項１に記載の野球バット。
【請求項３】
芯柱は、繊維補強プラスチック材料により構成されることを特徴とする請求項１に記載の野球バット。
【請求項４】
被覆体は、発泡スチロール材料により構成されることを特徴とする請求項１に記載の野球バット。
【請求項５】
被覆体は、ハンドル部が発泡スチロール材料により構成され、打撃部が木材により構成されることを特徴とする請求項１に記載の野球バット。
【請求項６】
芯柱の第一段と第二段は、分離状態を呈し、互いに連結装置により連接されることを特徴とする請求項１に記載の野球バット。
【請求項７】
連結装置はリングであって、リングが芯柱の第二段の一端内に緊密に嵌合されることを特徴とする請求項５に記載の野球バット。
【請求項８】
芯柱の前記第二段の一端上には、リングの外肩部と互いに補い合うように連接する内肩部が形成されることを特徴とする請求項６に記載の野球バット。
【請求項９】
芯柱の前記第二段は、細い一端から他端へ段々増大していくような様態を呈することを特徴とする請求項１に記載の野球バット。
【請求項１０】
保護層は、繊維補強材料により構成され、被覆層の打撃部の表面を被覆することを特徴とする請求項１に記載の野球バット。
【請求項１１】
芯柱の中には緊密に嵌合される振動吸収部を少なくとも一つ有することを特徴とする請求項１に記載の野球バット。
【請求項１２】
芯柱の中には緊密に嵌合されるバランスウェイトを少なくとも一つ有することを特徴とする請求項１に記載の野球バット。
【発明の詳細な説明】
【技術分野】
【０００１】
本発明は、野球スポーツに使用されるバットに関する。
【背景技術】
【０００２】
周知の木質野球バットは値段が最も廉価であるため、大量に使用されている。しかし、木製バットは、重量が比較的重いことや、バランス性に劣とること、構造が脆いことや、破裂しやすいこと等の欠点があり、かつボールを打撃した時に、激烈な振動が発生する。
【０００３】
一方アルミバットは、木質バットより重量がかなり軽く、かつバランス性が高いため、アルミバットの性能と耐用性が一般の木質バットより良い。しかし、アルミバットは、ボールを打撃した時に振動や、騒音及び凹んだ跡が発生する。
【発明の開示】
【発明が解決しようとする課題】
【０００４】
近年研究開発されてきた繊維補強プラスチック（ＦＲＰ；Ｆｉｂｅｒ−Ｒｅｉｎｆｏｒｃｅｄ  Ｐｌａｓｔｉｃ）製のバットは、バランスウェイトと、バランス性及び打撃の性能に優れ、かつ構造の強度にも優れ、破裂しにくい。しかしＦＲＰバットは値段が高すぎるため、一般の市場に普及しにくい。
【０００５】
したがって本発明の目的は、軽量で、バランス性と構造の強度に優れ、優れた性能を発揮可能な野球バットを提供することにある。
本発明のもう一つの目的は、周知の野球バットより振動吸収性に優れた野球バットを提供することにある。
本発明のまたもう一つの目的は、重心を調整可能な野球バットを提供することにある。
本発明のまたもう一つの目的は、極めて好ましい保護表面を有する野球バットを提供することにある。
【課題を解決するための手段】
【０００６】
上述の目的を達成するために本発明の請求項に記載の野球バットは、硬質パイプ状芯柱と半硬質被覆体を備えるものである。硬質パイプ状芯柱はそれぞれバットのハンドル部と打撃部を支持する第一段と第二段を有し、第二段の外径が第一段より大きく、半硬質被覆体はそれぞれパイプ状芯柱の第一段と第二段を被覆するハンドル部と打撃部を有する。
【発明を実施するための最良の形態】
【０００７】
以下、本発明の実施例を図面に基づいて説明する。
図１に示すように、本発明の第一実施例による野球バット１０は、パイプ状芯柱１１と、被覆体１２と、前端充塞部１４と、後端充塞部１６及び二つのバランスウェイト１８から構成されるものである。
【０００８】
パイプ状芯柱１１は、硬質材料（例えば複合材料か金属またはプラスチック等）により構成され、本実施例では、パイプ状芯柱１１は炭素繊維補強エポキシ樹脂により構成される。芯柱１１は、第一段１１２と、第二段１１４及び第一段１１２と第二段１１４の間に介する中央段１１６とを有する。第二段１１４はその外径が第一段１１２より大きく、中央段１１６はその外径が第一段１１２から第二段１１４の方向へ段々増大していく。
【０００９】
被覆体１２は、半硬質材料（発泡スチロール材料または木材）により構成され、本実施例では、被覆体１２はポリウレタン（ＰＵ；ｐｏｌｙｕｒｅｔｈａｎｅ）発泡材料により構成される。被覆体１２はハンドル部１２２と打撃部１２４を有し、ハンドル部１２２により第一段１１２と中央段１１６を同時に被覆し、打撃部１２４により第二段１１４を被覆する。
【００１０】
バランスウェイト１８は、芯柱１１の第一段１１２中に嵌合され、かつ野球バットの重心位置を調整可能とする。注目すべきは、バランスウェイト１８は、野球バット１０がボールを打撃した時に発生する振動を吸収するために、振動吸収材料により構成することも可能であるという点である。
【００１１】
本発明を製造するには多様な実施の様態がある。図２は、本発明による第二実施例の縦方向の断面図を示す。第二実施例と第一実施例は類似しているが、相違点は、第二実施例による野球バット２０は芯柱２１と、被覆体２２と、前端充塞部と、後端充塞部及び連接装置２４から構成され、そのうちの芯柱２１が第一段２１１と第二段２１２から組成され、被覆体２２がハンドル部２２１と打撃部２２２から組成され、ハンドル部２２１が発泡スチロール材料から構成され、打撃部２２２が木材から構成されることにある。またハンドル部２２１は芯柱２１の第一段２１１を被覆し、打撃部２２２は芯柱２１の第二段２１２を被覆するものである。
【００１２】
芯柱２１の第一段２１１と第二段２１２は、連結装置２４により互いに連結される。第二実施例では、連結装置２４はリングであって、リング２４が第二段２１２の後端に緊密に嵌合され、第二段２１２はその後端に内肩部２１４が形成され、リング２４の上には外肩部２４２が形成され、内肩部２１４と外肩部２４２は互いに補い合うように連接されることで、第一段２１１の前端をリング２４中に固定することが可能である。
【００１３】
図３は本発明による第三実施例の縦方向の断面図を示す。第三実施例と前述の第二実施例は類似しているが、相違点は、第三実施例による野球バット３０はそのほかにさらに保護層３２を有することである。保護層３２は繊維補強プラスチック材料により構成され、かつ被覆体３１の打撃部３１２の表面を被覆することで、野球バット３０の外部構造を強化することが可能である。
【００１４】
図４は、本発明による第四実施例の縦方向の断面図を示す。第四実施例と前述の第二実施例は類似しているが、相違点は、第四実施例による野球バット４０はその芯柱４１の第二段４１２が細い一端から他端へ段々増大していくような様態を呈する。つまり第二段４１２の外径は前端から後端へ段々増大していくものである。
【００１５】
図５は、本発明による第五実施例の縦方向の断面図を示す。第五実施例と前述の第四実施例は類似しているが、相違点は、第五実施例による野球バット５０はそのほかにさらに保護層５２を有することである。保護層５２は繊維補強プラスチック材料により構成され、かつ被覆体５１の打撃部５１２の表面を被覆することで、野球バット３０の外部構造を強化することが可能である。
【００１６】
上述をまとめてみると、本発明の野球バットの長所は下記の通りである。
半硬質被覆体と、保護層及び硬質パイプ状芯柱により本発明の野球バットは重量が周知の木質バットより小さく、かつ破裂または変形をしにくく、全体重量も比較的に軽い。
バランスウェイトは芯柱の中に嵌合されるため、本発明の野球バットは重心位置をその端縁部から１４インチと１４．５インチの間に調整可能である。
ハンドル部は発泡スチロール材料により構成され、かつ芯柱の中に嵌合されるバランスウェイトは振動吸収材料により構成可能である。したがって本発明の野球バットはボールを打撃した時の振動を吸収し、運動の傷害を避けることが可能である。
本発明による野球バットは、アルミバットのようにボールを打撃した時に騒音が発生しない。
本発明による野球バットは、一般のＦＲＰバットのような長所があるだけでなく、製造コストが一般のＦＲＰバットより低い。
上述は、本発明の好ましい実施例に過ぎない。本発明の明細書及び請求範囲に均等な変化をするのは、本発明の範囲に属するべきである。
【図面の簡単な説明】
【００１７】
【図１】本発明の第一実施例による野球バットを示す縦方向の断面図である。
【図２】本発明の第二実施例による野球バットを示す縦方向の断面図である。
【図３】本発明の第三実施例による野球バットを示す縦方向の断面図である。
【図４】本発明の第四実施例による野球バットを示す縦方向の断面図である。
【図５】本発明の第五実施例による野球バットを示す縦方向の断面図である。
【符号の説明】
【００１８】
１０  野球バット、１１  パイプ状芯柱、１２  被覆体、１４  前端充塞部、１６  後端充塞部、１８  振動吸収部（バランスウェイト）、２４  連結装置（リング）、３２  保護槽、１１２  第一段、１１４  第二段、１１６  中央段、１２２  ハンドル部、１２４  打撃部位、２１４  内肩部、２４０  連結装置（リング）、２４２  外肩部
【図１】
2005270204.tif 000003
【図２】
2005270204.tif 000004
【図３】
2005270204.tif 000005
【図４】
2005270204.tif 000006
【図５】
2005270204.tif 000007